(57)【要約】【課題】一次容器と二次容器との間にグラデーションを有する安価なインサート成形容器を提供する。【解決手段】一次容器１０に有色部材５０を取り付ける取付け工程と、有色部材５０が取り付けられた一次容器１０を金型６０の内部に配置する配置工程と、金型６０の内部に透明な合成樹脂材料７０を射出して一次容器１０の外側に二次容器２０を一体に形成するインサート成形工程とを有し、インサート成形において、金型６０の内部を流れる合成樹脂材料７０によって溶かされた有色部材５０により、一次容器１０と二次容器２０との間に色のグラデーションＧを一体に形成するようにして、一次容器１０の外側に透明な二次容器２０が一体に設けられるとともに一次容器１０と二次容器２０の間に色のグラデーションＧが一体に設けられたインサート成形容器１を製造する。【選択図】図７
2019042980.tif 000002
【特許請求の範囲】
【請求項１】
一次容器の外側に該一次容器の外側面を覆う透明な合成樹脂製の二次容器が射出成形により一体に設けられた二重壁構造のインサート成形容器の製造方法であって、
前記一次容器の外側面に、着色された合成樹脂材料によって形成された有色部材を取り付ける取付け工程と、
前記有色部材が取り付けられた前記一次容器を金型の内部に配置する配置工程と、
ゲートから前記金型の内部に透明な合成樹脂材料を射出して前記一次容器の外側に前記二次容器を一体に形成するインサート成形工程と、を有し、
前記インサート成形において、前記金型の内部を流れる前記合成樹脂材料によって溶かされた前記有色部材により、前記一次容器と前記二次容器との間に色のグラデーションを一体に形成することを特徴とするインサート成形容器の製造方法。
【請求項２】
前記一次容器が側壁と底壁とを有し、
前記取付け工程において、前記底壁の中心部分に前記有色部材を取り付け、
前記配置工程において、前記底壁の中心部分を前記ゲートに対向させて前記一次容器を前記金型の内部に配置する、請求項１に記載のインサート成形容器の製造方法。
【請求項３】
前記一次容器が側壁と底壁とを有し、
前記取付け工程において、前記側壁の下端部分に該側壁の周方向に沿って延びる環状の前記有色部材を取り付け、
前記配置工程において、前記底壁の中心部分を前記ゲートに対向させて前記一次容器を前記金型の内部に配置する、請求項１に記載のインサート成形容器の製造方法。
【請求項４】
前記有色部材が前記二次容器を形成する合成樹脂材料と同材質の合成樹脂材料に色素を混ぜて着色した有色の合成樹脂材料で形成されている、請求項１〜３の何れか１項に記載のインサート成形容器の製造方法。
【請求項５】
前記一次容器が、外側面に蒸着層が設けられたものである、請求項１〜４の何れか１項に記載のインサート成形容器の製造方法。
【請求項６】
前記蒸着層がアルミ蒸着層である、請求項５に記載のインサート成形容器の製造方法。
【請求項７】
前記二次容器がポリエステル系の合成樹脂材料で形成される、請求項１〜６の何れか１項に記載のインサート成形容器の製造方法。
【請求項８】
前記一次容器が前記二次容器を形成する合成樹脂材料よりも融点の高い合成樹脂材料で形成されている、請求項１〜７の何れか１項に記載のインサート成形容器の製造方法。
【請求項９】
前記一次容器が射出成形品である、請求項１〜８の何れか１項に記載のインサート成形容器の製造方法。
【請求項１０】
一次容器の外側に該一次容器の外側面を覆う透明な合成樹脂製の二次容器が射出成形により一体に設けられた二重壁構造のインサート成形容器であって、
前記一次容器と前記二次容器の間に、着色された合成樹脂材料によって形成された色のグラデーションが一体に設けられていることを特徴とするインサート成形容器。
【請求項１１】
口部、胴部及び底部を有し、
前記底部から前記胴部に亘って前記グラデーションが設けられている、請求項１０に記載のインサート成形容器。
【請求項１２】
口部、胴部及び底部を有し、
前記胴部にのみ前記グラデーションが設けられている、請求項１０に記載のインサート成形容器。
【請求項１３】
前記グラデーションが前記二次容器を形成する合成樹脂材料と同材質の合成樹脂材料に色素を混ぜて着色した有色の合成樹脂材料で形成されている、請求項１０〜１２の何れか１項に記載のインサート成形容器。
【請求項１４】
前記一次容器の外側面に蒸着層が設けられている、請求項１０〜１３の何れか１項に記載のインサート成形容器。
【請求項１５】
前記蒸着層がアルミ蒸着層である、請求項１４に記載のインサート成形容器。
【請求項１６】
前記二次容器がポリエステル系の合成樹脂材料で形成されている、請求項１０〜１５の何れか１項に記載のインサート成形容器。
【請求項１７】
前記一次容器が前記二次容器を形成する合成樹脂材料よりも融点の高い合成樹脂材料で形成されている、請求項１０〜１６の何れか１項に記載のインサート成形容器。
【請求項１８】
前記一次容器が射出成形品である、請求項１０〜１７の何れか１項に記載のインサート成形容器。
【発明の詳細な説明】
【技術分野】
【０００１】
本発明は、一次容器の外側に一次容器の外側面を覆う透明な合成樹脂製の二次容器が一体に設けられた二重壁構造のインサート成形容器及びその製造方法に関する。
【背景技術】
【０００２】
従来から、一次容器の外側に一次容器の外側面を覆う透明な合成樹脂製の二次容器が射出成形により一体に設けられた二重壁構造のインサート成形容器が知られている。このような二重壁構造のインサート成形容器は、優れた光学的な加飾機能を発揮できることから、例えば化粧料を収容する容器など、高級感のあるパッケージングで商品の差別化が要望される用途に使用されている。
【０００３】
上記インサート成形容器は、一次容器をインサート材として金型の内部に配置した状態で金型のゲートから金型内に透明な合成樹脂材料を射出するインサート成形の手法を用いて上記した二重壁構造に形成される（例えば特許文献１参照）。
【先行技術文献】
【特許文献】
【０００４】
【特許文献１】特開２０１２−１２０７２号公報
【発明の概要】
【発明が解決しようとする課題】
【０００５】
上記従来のインサート成形容器では、一次容器の外側面にアルミ蒸着層や印刷層などの加飾層を設けてから二次容器をインサート成形することで、一次容器と二次容器との間に加飾層を有する構成とすることができる。このような構成により、透明な二次容器の中に加飾層が浮き上がって見えるようにして、インサート成形容器の美観を高めることができる。特に、加飾層として、色が連続した階調で変化するグラデーションを一次容器の外側面に設けた場合には、インサート成形容器をより高級感のある美観の高いものとすることができる。
【０００６】
しかし、一次容器の外側面にグラデーションを設けるためには、一次容器の外側面にグラデーションを塗装する工程や、塗装面を乾燥させる工程などの別工程が必要となるので、製造工数が増加し、また、歩留まりが悪化するなどして、インサート成形容器の製造コストが増加してしまうという問題点があった。
【０００７】
本発明は、このような点を解決することを課題とするものであり、その目的は、一次容器と二次容器との間にグラデーションを有する安価なインサート成形容器を提供することにある。
【課題を解決するための手段】
【０００８】
本発明のインサート成形容器の製造方法は、一次容器の外側に該一次容器の外側面を覆う透明な合成樹脂製の二次容器が射出成形により一体に設けられた二重壁構造のインサート成形容器の製造方法であって、前記一次容器の外側面に、着色された合成樹脂材料により形成された有色部材を取り付ける取付け工程と、前記有色部材が取り付けられた前記一次容器を金型の内部に配置する配置工程と、ゲートから前記金型の内部に透明な合成樹脂材料を射出して前記一次容器の外側に前記二次容器を一体に形成するインサート成形工程と、を有し、前記インサート成形において、前記金型の内部を流れる前記合成樹脂材料によって溶かされた前記有色部材により、前記一次容器と前記二次容器との間に色のグラデーションを一体に形成することを特徴とする。
【０００９】
本発明のインサート成形容器の製造方法は、上記構成において、前記一次容器が側壁と底壁とを有し、前記取付け工程において、前記底壁の中心部分に前記有色部材を取り付け、前記配置工程において、前記底壁の中心部分を前記ゲートに対向させて前記一次容器を前記金型の内部に配置するのが好ましい。
【００１０】
本発明のインサート成形容器の製造方法は、上記構成において、前記一次容器が側壁と底壁とを有し、前記取付け工程において、前記側壁の下端部分に該側壁の周方向に沿って延びる環状の前記有色部材を取り付け、前記配置工程において、前記底壁の中心部分を前記ゲートに対向させて前記一次容器を前記金型の内部に配置するのが好ましい。
【００１１】
本発明のインサート成形容器の製造方法は、上記構成において、前記有色部材が前記二次容器を形成する合成樹脂材料と同材質の合成樹脂材料に色素を混ぜて着色した有色の合成樹脂材料で形成されているのが好ましい。
【００１２】
本発明のインサート成形容器の製造方法は、上記構成において、前記一次容器が、外側面に蒸着層が設けられたものであるのが好ましい。
【００１３】
本発明のインサート成形容器の製造方法は、上記構成において、前記蒸着層がアルミ蒸着層であるのが好ましい。
【００１４】
本発明のインサート成形容器の製造方法は、上記構成において、前記二次容器がポリエステル系の合成樹脂材料で形成されるのが好ましい。
【００１５】
本発明のインサート成形容器の製造方法は、上記構成において、前記一次容器が前記二次容器を形成する合成樹脂材料よりも融点の高い合成樹脂材料で形成されているのが好ましい。
【００１６】
本発明のインサート成形容器の製造方法は、上記構成において、前記一次容器が射出成形品であるのが好ましい。
【００１７】
本発明のインサート成形容器は、一次容器の外側に該一次容器の外側面を覆う透明な合成樹脂製の二次容器が射出成形により一体に設けられた二重壁構造のインサート成形容器であって、前記一次容器と前記二次容器の間に、着色された合成樹脂材料によって形成された色のグラデーションが一体に設けられていることを特徴とする。
【００１８】
本発明のインサート成形容器は、上記構成において、口部、胴部及び底部を有し、前記底部から前記胴部に亘って前記グラデーションが設けられているのが好ましい。
【００１９】
本発明のインサート成形容器は、上記構成において、口部、胴部及び底部を有し、前記胴部にのみ前記グラデーションが設けられているのが好ましい。
【００２０】
本発明のインサート成形容器は、上記構成において、前記グラデーションが前記二次容器を形成する合成樹脂材料と同材質の合成樹脂材料に色素を混ぜて着色した有色の合成樹脂材料で形成されているのが好ましい。
【００２１】
本発明のインサート成形容器は、上記構成において、前記一次容器の外側面に蒸着層が設けられているのが好ましい。
【００２２】
本発明のインサート成形容器は、上記構成において、前記蒸着層がアルミ蒸着層であるのが好ましい。
【００２３】
本発明のインサート成形容器は、上記構成において、前記二次容器がポリエステル系の合成樹脂材料で形成されているのが好ましい。
【００２４】
本発明のインサート成形容器は、上記構成において、前記一次容器が前記二次容器を形成する合成樹脂材料よりも融点の高い合成樹脂材料で形成されているのが好ましい。
【００２５】
本発明のインサート成形容器は、上記構成において、前記一次容器が射出成形品であるのが好ましい。
【発明の効果】
【００２６】
本発明によれば、一次容器と二次容器との間にグラデーションを有する安価なインサート成形容器を提供することができる。
【図面の簡単な説明】
【００２７】
【図１】本発明の一実施の形態であるインサート成形容器の半断面図である。
【図２】図１に示すインサート成形容器を用いた化粧料容器の断面図である。
【図３】外側面に蒸着層が設けられた一次容器を有色部材とともに示す半断面図である。
【図４】（ａ）は取付け工程において有色部材が取り付けられた一次容器の断面図であり、（ｂ）は同底面図である。
【図５】配置工程において有色部材が取り付けられた一次容器を金型に配置した状態を示す断面図である。
【図６】インサート成形工程においてゲートから金型のキャビティの内部に射出された合成樹脂材料が一次容器の底部に拡がった様子を示す断面図である。
【図７】インサート成形工程においてゲートから金型のキャビティの内部に射出された合成樹脂材料が一次容器の側壁にまで拡がった様子を示す断面図である。
【図８】インサート成形工程が完了した状態を示す断面図である。
【図９】図１に示すインサート成形容器の変形例の半断面図である。
【図１０】有色部材が取り付けられた一次容器の変形例の半断面図である。
【発明を実施するための形態】
【００２８】
以下、図面を参照して、本発明をより具体的に例示説明する。
【００２９】
図１に示す本発明の一実施の形態であるインサート成形容器１は、一次容器１０の外側に、この一次容器１０の外側面を覆う透明な合成樹脂製の二次容器２０が射出成形により一体に設けられた二重壁構造を有するインサート成形品である。インサート成形容器１は、円筒状の口部２、口部２に連なる円筒状の胴部３及び胴部３の下端を閉塞する円形の底部４を備え、全体として広口瓶形状（ジャー形状）となっている。
【００３０】
インサート成形容器１は、例えば内容物として化粧料を収容する化粧料容器として用いることができる。図２には、インサート成形容器１を、その内部に化粧料が充填されたリフィル容器３０を収容するとともに口部２をキャップ４０で閉塞したリフィルタイプ（付替えタイプ）の化粧料容器に構成した場合を示す。
【００３１】
リフィル容器３０は、インサート成形容器１の内面に対応した形状の有底円筒状のリフィル容器本体３１の内部に化粧料３２を充填し、その開口にシート状の閉塞体３３を接着等の手段によって固定して密封した構成を有している。リフィル容器本体３１は、例えばポリプロピレン樹脂で形成されたものとすることができる。リフィル容器本体３１の上端部の外周には爪状の係止部３４が設けられており、この係止部３４が口部２の上端部の外周に設けられた溝部２ａにアンダーカット係合することで、リフィル容器３０はインサート成形容器１に着脱自在に保持されている。
【００３２】
キャップ４０は、ポリプロピレン樹脂により、リフィル容器本体３１の外径に対応した外径の有頂円筒状に形成されており、その内周面に設けられた雌ねじ４１を口部２の外周面に設けられた雄ねじ２ｂにねじ結合させることでインサート成形容器１に着脱自在に装着されている。
【００３３】
キャップ４０をインサート成形容器１から取り外し、閉塞体３３を引き剥がしてリフィル容器本体３１を開封することで、化粧料３２をリフィル容器本体３１から取り出して使用することができる。使用後には、キャップ４０をインサート成形容器１に装着することでリフィル容器本体３１を閉塞して保管することができる。化粧料３２が全て取り出されてリフィル容器本体３１が空になった場合には、空のリフィル容器本体３１をインサート成形容器１から取り外し、新たなリフィル容器３０をインサート成形容器１に装着することで、インサート成形容器１を再使用することができる。
【００３４】
なお、リフィル容器３０を用いることなく、インサート成形容器１の内部に内容物を直に収容する構成とすることもできる。
【００３５】
図１に示すように、一次容器１０は、円筒状の側壁１１と、この側壁１１の下端を閉塞する底壁１２とを有する有底円筒状となっており、側壁１１はインサート成形容器１の胴部３の内周側部分を構成し、底壁１２はインサート成形容器１の底部４の上面側部分を構成している。
【００３６】
本実施の形態においては、一次容器１０は、ポリカーボネート（ＰＣ）を射出して形成されたポリカーボネートの射出成形品となっている。一次容器１０として射出成形品を用いることで、インサート成形容器１の製造コストを低減することができる。
【００３７】
なお、一次容器１０は、ポリカーボネート製に限らず、他の合成樹脂材料、ガラス、金属等の他の材質で形成されたものとすることもできる。また、一次容器１０を合成樹脂材料で形成されたものとする場合には、合成樹脂材料を射出成形して形成したものに限らず、ブロー成形で形成したものを採用することもできる。
【００３８】
一次容器１０の外側面には、その全体に蒸着層１３が設けられている。すなわち、側壁１１の外側を向く外側面の全体と底壁１２の外側を向く外側面の全体とに蒸着層１３が設けられ、一次容器１０の外側面の全体が蒸着層１３によって被覆されている。なお、一次容器１０の内側面には蒸着層１３は設けられず、ポリカーボネートがそのまま露出している。
【００３９】
本実施の形態においては、一次容器１０の外側面に設けられる蒸着層１３はアルミ蒸着層である。アルミ蒸着層である蒸着層１３が設けられることにより、一次容器１０の外側面は、その全体が光沢のある鏡状に加飾されている。
【００４０】
二次容器２０は、円筒状の側壁２１と、この側壁２１の下端を閉塞する底壁２２とを有する有底円筒状となっており、側壁２１はインサート成形容器１の胴部３の外周側部分を構成し、底壁２２はインサート成形容器１の底部４の下面側部分を構成している。
【００４１】
二次容器２０は、一次容器１０をインサート材としたインサート成形において一次容器１０の外側にポリエステル系の合成樹脂材料を射出して形成された透明な合成樹脂製となっている。本実施の形態では、二次容器２０を形成する合成樹脂材料は、飽和ポリエステル樹脂の一種であるＰＣＴＡ樹脂である。ここで、二次容器２０は、二次容器２０を通して一次容器１０の外側面の蒸着層１３を視認することができる程度に透明であればよく、例えば半透明であってもよい。
【００４２】
二次容器２０を形成する合成樹脂材料は、一次容器１０を形成する合成樹脂材料よりも融点の低い合成樹脂材料であるのが好ましい。これにより、インサート成形時に、インサート材として金型に配置された一次容器１０が、二次容器２０を形成するために溶融した状態で金型内に射出される合成樹脂材料の熱によって溶融してしまうことを抑制することができる。
【００４３】
二次容器２０の底壁２２は、その中央部分（中心位置）に、当該底壁２２の下面から突出する略円柱状のゲート痕２３を有している。ゲート痕２３は、一次容器１０をインサート材としたインサート成形により二次容器２０を射出成形した際に、ゲート内の合成樹脂材料が二次容器２０の金型のゲートに対応した部分に残存して生じるものである。ゲート痕２３は、一次容器１０の底壁１２の中央部分（中心位置）に対向している。なお、底壁２２は、その外周縁に対して内側部分が上方に向けて僅かに凹んだ形状を有し、ゲート痕２３は当該凹みの範囲内で底壁２２の下面から突出している。
【００４４】
なお、口部２は、上記インサート成形において、二次容器２０とともに成形されて二次容器２０の側壁２１の上端に一体に連ねて設けられている。
【００４５】
一次容器１０と二次容器２０の間には、着色された合成樹脂材料によって形成されたグラデーションＧが、一次容器１０及び二次容器２０と一体に設けられている。グラデーションＧは、透明ではない任意の色を有するとともに当該色が連続した諧調で変化するものである。
【００４６】
本実施の形態においては、グラデーションＧは、二次容器２０を形成する合成樹脂材料と同材質の合成樹脂材料に顔料等の色素を混ぜて着色した有色の合成樹脂材料により形成されている。
【００４７】
グラデーションＧは底部４から胴部３に亘って設けられている。より具体的には、グラデーションＧは、底部４の全体に設けられるとともに、胴部３の下端部分（底部４の側の端部）から周方向の全範囲において図１における上方向に向けて延び、胴部３の上下方向の中間位置にまで達するように設けられている。
【００４８】
グラデーションＧは、有色の合成樹脂材料が、一次容器１０の外側面と二次容器２０の内側面との間で薄い膜状となって拡がるとともに、その厚み乃至濃度が底部４の中心部分から胴部３の上下方向の中間位置に向けて徐々に低下するように設けられることで、色が底部４の中心部分から胴部３の上下方向の中間位置に向けて連続した階調で変化するように構成されている。すなわち、グラデーションＧの色の諧調は、底部４の中心部分において最も濃く、そこから胴部３の上下方向の中間位置に向けて徐々に薄くなるように変化している。なお、グラデーションＧの色の諧調は、底部４及び胴部３の周方向については略同一である。
【００４９】
一次容器１０の底壁１２の中央部分には貫通孔１４が設けられており、貫通孔１４はグラデーションＧに一体に連なる凸部１５により埋められている。
【００５０】
上記構成を有する本実施の形態のインサート成形容器１では、一次容器１０の外側に、一次容器１０の外側面を覆う透明な合成樹脂製の二次容器２０が一体に設けられた二重壁構造において、一次容器１０と二次容器２０の間にグラデーションＧを設けて透明な二次容器２０を通してグラデーションＧが視認されるようにしたので、透明な二次容器２０による光学的な加飾機能により、グラデーションＧを透明感ないし深みのあるものとして、インサート成形容器１を高級感のある美観の高いものとすることができる。
【００５１】
また、本実施の形態のインサート成形容器１では、グラデーションＧを、底部４から胴部３に亘って設けるようにしたので、インサート成形容器１の美観をさらに高めることができる。
【００５２】
さらに、本実施の形態のインサート成形容器１では、二次容器２０を形成する合成樹脂材料としてポリエステル系の合成樹脂材料を用いるようにしたので、二次容器２０をより透明性の高いものとして、インサート成形容器１の美観をさらに高めることができる。
【００５３】
さらに、本実施の形態のインサート成形容器１では、一次容器１０の外側面に蒸着層１３を設けるようにしたので、グラデーションＧを美観の高い色合いとして、インサート成形容器１の美観をさらに高めることができる。
【００５４】
さらに、本実施の形態のインサート成形容器１では、蒸着層１３を光沢のあるアルミ蒸着層としたので、透明な二次容器２０による光学的な加飾機能により蒸着層１３の光沢を透明感のあるものとしつつグラデーションＧをさらに美観の高い色合いとして、インサート成形容器１の美観をさらに高めることができる。
【００５５】
さらに、本実施の形態のインサート成形容器１では、グラデーションＧを、二次容器２０を形成する合成樹脂材料と同材質の合成樹脂材料に色素を混ぜて着色した有色の合成樹脂材料により形成するようにしたので、グラデーションＧと二次容器２０の内側面との間に剥離が生じてグラデーションＧが白濁して見えてしまうことを防止して、インサート成形容器１の美観をさらに高めることができる。
【００５６】
上記構成を有する本実施の形態のインサート成形容器１は、本発明の一実施の形態であるインサート成形容器の製造方法により製造することができる。以下に、図３〜図８に基づいて、本発明の一実施の形態であるインサート成形容器の製造方法によりインサート成形容器１を製造する手順について説明する。
【００５７】
まず、図３に示すように、外側面に蒸着層（アルミ蒸着層）１３が設けられた一次容器１０と有色部材５０とを用意する。
【００５８】
有色部材５０は、二次容器２０を形成する合成樹脂材料と同材質の合成樹脂材料（ＰＣＴＡ樹脂）に顔料等の色素を混ぜて着色した有色の合成樹脂材料によって、円形で皿状の部材本体部５０ａと、部材本体部５０ａの中心から突出する円柱状の軸部５０ｂとを備えた形状に形成されている。部材本体部５０ａの直径は一次容器１０の底壁１２の直径よりも小さく、軸部５０ｂの直径は一次容器１０の貫通孔１４の内径よりも僅かに小さくなっている。
【００５９】
次に、図４（ａ）に示すように、有色部材５０の軸部５０ｂを一次容器１０の貫通孔１４に外側から挿入して有色部材５０を一次容器１０の底壁１２の中心部分に取り付ける（取付け工程）。一次容器１０に有色部材５０が取り付けられると、図４（ｂ）に示すように、一次容器１０の底壁１２における外側面の中央部分が部材本体部５０ａにより覆われる。なお、軸部５０ｂが貫通孔１４に圧入状態で挿入されることにより、有色部材５０は底壁１２に保持されている。
【００６０】
一次容器１０に有色部材５０が取り付けられると、次に、図５に示すように、有色部材５０が取り付けられた一次容器１０を、インサート材としてインサート成型用の金型６０の内部に配置する（配置工程）。一次容器１０が金型６０に配置されて当該金型６０に保持された状態においては、一次容器１０の底壁１２の中心部分、すなわち底壁１２の中心部分に取り付けられた有色部材５０の部材本体部５０ａは、その中心位置が金型６０のゲート６１の軸心と一致するようにゲート６１に対向する。
【００６１】
金型６０は、下型６２と上型６３とを有し、上型６３の一部は左右に分割可能な分割型６３ａ、６３ｂとなっており、一次容器１０は、分割型６３ａ、６３ｂの軸心に設けられた上型６３の柱状部分６３ｃに嵌め込まれて保持される。なお、金型６０としては、上記構成のものに限らず、一次容器１０をインサート材としたインサート成形を行うことができるものであれば、他の構成のものを用いることもできる。
【００６２】
有色部材５０が取り付けられた一次容器１０がインサート材として金型６０の内部に配置され、金型６０が型締めされると、次に、図６に示すように、ゲート６１から金型６０の内部に向けて、すなわち一次容器１０の外側面と金型６０の内面との間に形成されたキャビティ６４に向けて、二次容器２０を形成するための透明な合成樹脂材料（ＰＣＴＡ樹脂）７０を射出して、インサート成形を行う（インサート成形工程）。当該インサート成形においてキャビティ６４を満たすまで射出された合成樹脂材料７０がキャビティ６４の内部で硬化することにより、図８示すように、一次容器１０の外側に所定形状の二次容器２０が一体に形成される。
【００６３】
ここで、インサート材である一次容器１０には有色部材５０が取り付けられているので、インサート成形工程においては、図６、図７に示すように、金型６０のゲート６１からキャビティ６４に向けて射出された溶融状態の合成樹脂材料７０の熱により有色部材５０の部材本体部５０ａが溶かされて合成樹脂材料７０とともにキャビティ６４の内部の隅に向かって引き延ばされながら流れることになる。そして、図８に示すように、キャビティ６４が合成樹脂材料７０で満たされてキャビティ６４の内部で合成樹脂材料７０とともに有色部材５０の部材本体部５０ａの溶けて引き延ばされた部分が硬化することにより、一次容器１０と二次容器２０との間に、薄い膜状となって拡がるとともに厚み乃至濃度が徐々に低下するように変化する合成樹脂製のグラデーションＧが一体に形成される。すなわち、インサート成形工程においては、一次容器１０に取り付けられた有色部材５０の部材本体部５０ａが、金型６０のキャビティ６４の内部を流れる合成樹脂材料７０によって溶かされて引き延ばされることにより、一次容器１０と二次容器２０との間に合成樹脂製で形成されたグラデーションＧが一体に形成される。なお、有色部材５０の軸部５０ｂは、インサート成形容器１のグラデーションＧに一体に連なる凸部１５となる。
【００６４】
このように、本実施の形態のインサート成形容器の製造方法によれば、一次容器１０に有色部材５０を取り付けた状態でインサート成形を行うことで一次容器１０と二次容器２０との間にグラデーションＧを設けることができるので、一次容器１０の外側面にグラデーションを塗装する工程や、当該塗装面を乾燥させる工程などの別工程を不要として、インサート成形容器１の製造コストを低減することができる。したがって、一次容器１０と二次容器２０との間にグラデーションＧを有する美観の高いインサート成形容器１を安価に製造することができる。
【００６５】
また、本実施の形態のインサート成形容器の製造方法では、取付け工程において、一次容器１０の底壁１２の中心部分に有色部材５０を取り付け、配置工程において、底壁１２の中心部分をゲート６１に対向させて一次容器１０を金型６０の内部に配置するようにしているので、溶けた有色部材５０が、ゲート６１からキャビティ６４の内部に射出された合成樹脂材料７０とともに底壁１２の中心部分から側壁１１に向けて均等に拡がるようにして、インサート成形容器１に、底部４から胴部３に亘るグラデーションＧを容易に形成することができる。
【００６６】
また、この場合、ゲート６１からキャビティ６４の内部に射出された合成樹脂材料７０は、有色部材５０の部材本体部５０ａに当たってからキャビティ６４の隅に向かって流れ、ゲート６１から射出された直後に一次容器１０の蒸着層１３に直接当たることがない。したがって、有色部材５０により、溶融した合成樹脂材料７０の熱と圧力から一次容器１０ないし蒸着層１３を保護して、一次容器１０のゲート６１の周辺領域における外側面が溶かされて蒸着層１３とともにゲート６１から離れる方向に向けて流れて一次容器１０のゲート６１の周辺領域に蒸着層１３が剥がれた部分が生じてしまうことを防止して、より美観の高いインサート成形容器１を製造することができる。
【００６７】
さらに、本実施の形態のインサート成形容器の製造方法では、一次容器１０を、二次容器２０を形成する合成樹脂材料よりも融点の高い合成樹脂材料で形成するようにしたので、インサート成形工程において金型６０の内部に射出される合成樹脂材料７０の熱や圧力により一次容器１０が溶融されることを防止して、一次容器１０のゲート６１の周辺領域における外側面が合成樹脂材料７０の熱や圧力によって溶かされて蒸着層１３とともにゲート６１から離れる方向に向けて流れ、一次容器１０のゲート６１の周辺領域に蒸着層１３が剥がれた部分が生じてしまうことを、さらに確実に防止することができる。
【００６８】
さらに、本実施の形態のインサート成形容器の製造方法では、有色部材５０を、二次容器２０を形成する合成樹脂材料７０と同材質の合成樹脂材料に色素を混ぜて着色した有色の合成樹脂材料で形成するようにしているので、有色部材５０が溶かされて形成されるグラデーションＧを二次容器２０と確実に一体化させることができる。これにより、グラデーションＧと二次容器２０の内側面との間に剥離が生じてグラデーションＧが白濁して見えてしまうことを防止して、より美観の高いインサート成形容器１を製造することができる。
【００６９】
さらに、本実施の形態のインサート成形容器の製造方法では、二次容器２０を形成する合成樹脂材料７０としてポリエステル系の合成樹脂材料を用いるようにしたので、二次容器２０がより高い透明性を有する、より美観の高いインサート成形容器１を製造することができる。
【００７０】
さらに、本実施の形態のインサート成形容器の製造方法では、インサート材として用いる一次容器１０を射出成形品としたので、一次容器１０の製造コストを低減して、一次容器１０と二次容器２０との間にグラデーションＧを有する美観の高いインサート成形容器１をより安価に製造することができる。
【００７１】
さらに、本実施の形態のインサート成形容器の製造方法では、インサート材として用いる一次容器１０を外側面に蒸着層１３を備えたものとしたので、グラデーションＧが美観の高い色合いとなる、より美観の高いインサート成形容器１を製造することができる。
【００７２】
さらに、本実施の形態のインサート成形容器の製造方法では、蒸着層１３を光沢のあるアルミ蒸着層としたので、透明な二次容器２０による光学的な加飾機能により蒸着層１３の光沢が透明感を有しつつグラデーションＧがさらに美観の高い色合いとなる、より美観の高いインサート成形容器１を製造することができる。
【００７３】
図９は図１に示すインサート成形容器の変形例の半断面図であり、図１０は有色部材が取り付けられた一次容器の変形例の半断面図である。図９、図１０においては、前述した部材に対応する部材に同一の符号を付してある。
【００７４】
図１に示すインサート成形容器１では、グラデーションＧを底部４から胴部３に亘って設けるようにしているが、図９に示すように、グラデーションＧを胴部３にのみ設けた構成とすることもできる。この場合、グラデーションＧは、胴部３の、一次容器１０の側壁１１の下端と上下方向の中間位置との間に対応した範囲に設けられている。この変形例の構成においても、胴部３に設けられたグラデーションＧを透明感ないし深みのあるものとして、インサート成形容器１を高級感のある美観の高いものとすることができる。
【００７５】
図９に示す変形例のインサート成形容器１は、本実施の形態のインサート成形容器の製造方法において、取付け工程において有色部材５０が取り付けられた一次容器１０として、図１０に示す構成の一次容器１０、すなわち側壁１１の下端部分（底部４の側の端部）に側壁１１の周方向に沿って延びる環状の有色部材５０が取り付けられた一次容器１０を用いることで製造することができる。
【００７６】
この場合、取付け工程においては、環状に形成されている有色部材５０が一次容器１０の側壁１１に嵌め込まれることで一次容器１０に環状の有色部材５０が取り付けられるが、薄い帯状の有色部材５０を側壁１１に巻き付けることで一次容器１０に環状の有色部材５０を取り付けるようにしてもよい。
【００７７】
配置工程において、図１０に示す環状の有色部材５０が取り付けられた一次容器１０を金型６０の内部に配置し、インサート成形工程を行うことで、キャビティ６４の内部に射出された合成樹脂材料７０によって環状の有色部材５０が溶かされ、側壁１１の全周において均等に当該側壁１１の上方に向けて広げられて、図９に示すように、胴部３のみにグラデーションＧが形成された変形例のインサート成形容器１が形成される。
【００７８】
本発明は前記実施の形態に限定されるものではなく、その要旨を逸脱しない範囲で種々変更可能であることはいうまでもない。
【００７９】
例えば、前記実施の形態においては、インサート成形容器１は、広口瓶様の外形形状となっているが、これに限らず、例えばボトル形状などの種々の形状とすることができる。
【００８０】
また、インサート成形容器１は、口部２がキャップ４０で閉塞されるものに限らず、口部２にポンプやノズル等の吐出具が装着されるものとすることもできる。
【００８１】
さらに、前記実施の形態においては、二次容器２０を形成するポリエステル系の合成樹脂材料としてＰＣＴＡ樹脂を用いているが、これに限らず、例えばＰＥＴ樹脂やＰＣＴ樹脂等の他のポリエステル系の合成樹脂材料を用いるようにしてもよい。また、例えばＳＡＮ樹脂（スチレン・アクリロニトリル共重合樹脂）などの、ポリエステル系以外の他の合成樹脂材料を用いるようにしてもよい。
【００８２】
さらに、前記実施の形態においては、有色部材５０を、二次容器２０を形成する合成樹脂材料と同材質の合成樹脂材料に色素を混ぜて着色した有色の合成樹脂材料で形成されたものとしているが、これに限らず、有色のものであれば他の合成樹脂材料で形成されたものとしてもよい。
【００８３】
さらに、前記実施の形態においては、一次容器１０は、外側面の全体に蒸着層１３が設けられたものとしているが、これに限らず、例えば一次容器１０のグラデーションＧが設けられる範囲にのみ蒸着層１３を設けるなど、外側面の一部にのみ蒸着層１３が設けられた構成とすることもでき、また、蒸着層１３が設けられない構成とすることもできる。さらに、蒸着層１３の外側に文字や図柄を示す印刷層が設けられていてもよい。
【００８４】
さらに、前記実施の形態においては、一次容器１０と二次容器２０は、何れも有底円筒状とされているが、これに限らず、例えば多角筒状とするなど、その形状は種々変更可能である。また、一次容器１０と二次容器２０の何れか一方を有底円筒状とし、他方を多角筒状とするなど、その形状を互いに相違させるようにしてもよい。
【００８５】
さらに、前記実施の形態においては、蒸着層１３はアルミ蒸着層とされているが、これに限らず、他の蒸着層であってもよいが、光沢のあるものであるのが好ましい。
【００８６】
さらに、前記実施の形態においては、グラデーションＧをインサート成形容器１の胴部３と底部４に亘って設け、あるいは胴部３にのみ設けるようにしているが、これに限らず、グラデーションＧを設ける部位ないし範囲は種々変更可能である。同様に、取付け工程における一次容器１０への有色部材５０の取り付け位置も種々変更可能である。
【００８７】
さらに、前記実施の形態においては、有色部材５０の軸部５０ｂが、一次容器１０の底壁１２に設けた貫通孔１４を貫通する構成としているが、これに限らず、例えば、インサート成形容器１を、リフィル容器３０を用いずに内部に直接内容物を収容する構成とした場合には、有色部材５０の軸部５０ｂが、一次容器１０の底壁１２を貫通しない構成とすることもできる。
【００８８】
さらに、有色部材５０は、図４に示す部材本体部５０ａと軸部５０ｂとを有する形状のものや図１０に示す環状の形状のものに限らず、その形状は種々変更可能である。
【符号の説明】
【００８９】
１    インサート成形容器
２    口部
２ａ  溝部
２ｂ  雄ねじ
３    胴部
４    底部
１０    一次容器
１１    側壁
１２    底壁
１３    蒸着層
１４    貫通孔
１５    凸部
２０    二次容器
２１    側壁
２２    底壁
２３    ゲート痕
３０    リフィル容器
３１    リフィル容器本体
３２    化粧料
３３    閉塞体
３４    係止部
４０    キャップ
４１    雌ねじ
５０    有色部材
５０ａ  部材本体部
５０ｂ  軸部
６０    金型
６１    ゲート
６２    下型
６３    上型
６３ａ  分割型
６３ｂ  分割型
６３ｃ  柱状部分
６４    キャビティ
７０    合成樹脂材料
Ｇ    グラデーション
【図１】
2019042980.tif 000003
【図２】
2019042980.tif 000004
【図３】
2019042980.tif 000005
【図４】
2019042980.tif 000006
【図５】
2019042980.tif 000007
【図６】
2019042980.tif 000008
【図７】
2019042980.tif 000009
【図８】
2019042980.tif 000010
【図９】
2019042980.tif 000011
【図１０】
2019042980.tif 000012